(57)【要約】【課題】部品点数を増加させることなく、カバーの開閉動作を行うことが可能なディスクプレーヤを提供する。【解決手段】フロントパネル１０に回動可能に取り付けられたフロント側端子カバー５０を備えたディスクプレーヤ１において、フロント側端子カバー５０は、フロント側端子カバー５０に一体的に設けられ、所定の位置に貫通孔５１ａを有するカバー側係合部５１を含む。また、フロントパネル１０は、カバー側係合部５１が挿入される挿入孔１１と、挿入孔１１の内面の互いに対向する２つの位置から奥側に向かって延びるとともに、Ｕ字状に折り返して、フロントパネル１０の前面に向かって延びるように、フロントパネル１０に一体的に設けられ、互いに対向する位置に貫通孔５１ａに係合する凸部１２ａを有する撓み変形可能な一対のパネル側係合部１２とを含む。【選択図】図４
2005159135.tif 000002
【特許請求の範囲】
【請求項１】
機器の前面を覆う樹脂製のフロントパネルと、前記フロントパネルに回動可能に取り付けられ、前記フロントパネルの所定の位置に設けられたケーブル挿入用端子を覆うための樹脂製のフロント側端子カバーとを備えたディスクプレーヤにおいて、
前記樹脂製のフロント側端子カバーは、
前記樹脂製のフロント側端子カバーの内面の所定の位置から突出するように前記樹脂製のフロント側端子カバーに一体的に設けられるとともに、所定の位置に方形状の貫通孔を有するカバー側係合部を含み、
前記樹脂製のフロントパネルは、
前記フロント側端子カバーのカバー側係合部が挿入される挿入孔と、
前記樹脂製のフロントパネルに一体的に設けられ、前記挿入孔の内面の互いに対向する２つの位置から奥側に向かって延びるとともに、Ｕ字状に折り返して、前記フロントパネルの前面に向かって延び、かつ、互いに対向する位置に前記方形状の貫通孔に係合する前記フロント側端子カバーの回動方向と交差する方向に延びる実質的に半円柱形状の凸部を有する撓み変形可能な一対のパネル側係合部と、
前記一対のパネル側係合部のＵ字状の折返し部分の内側に、前記パネル側係合部に一体的に形成された補強リブとを含み、
前記一対のパネル側係合部の各々の半円柱形状の凸部は、前記フロント側端子カバーが閉じられたときに、前記カバー側係合部を挟み込むように前記方形状の貫通孔に係合する、ディスクプレーヤ。
【請求項２】
電子機器本体と、
前記電子機器本体に回動可能に設けられたカバーとを備え、
前記カバーは、前記カバーの内面から突出するように前記カバーに一体的に設けられるとともに、所定の位置に凹部を有するカバー側係合部を含み、
前記電子機器本体は、前記電子機器本体に一体的に設けられ、前記カバー側係合部の凹部に係合する凸部を有する本体側係合部を含む、電子機器。
【請求項３】
前記凸部を有する本体側係合部は、互いに対向するように所定の間隔を隔てて前記凸部が配置された一対の撓み変形可能な本体側係合部を含み、
前記カバー側係合部の凹部は、前記一対の本体側係合部の前記凸部に対応する位置に形成されており、
前記一対の本体側係合部の各々の凸部は、前記カバーが閉じられたときに、前記カバー側係合部を挟み込むように前記凹部に係合する、請求項２に記載の電子機器。
【請求項４】
前記電子機器本体は、前記カバーのカバー側係合部が挿入される挿入孔を含み、
前記一対の本体側係合部は、前記挿入孔の内面の互いに対向する２つの位置から奥側に向かって延びるとともに、Ｕ字状に折り返して、前記電子機器本体の表面に向かって延びるように形成されている、請求項３に記載の電子機器。
【請求項５】
前記電子機器本体は、前記一対の本体側係合部のＵ字状の折返し部分の内側に、前記本体側係合部に一体的に形成された補強リブを含む、請求項４に記載の電子機器。
【請求項６】
前記カバー側係合部の凹部は、方形状の貫通孔を含み、
前記一対の本体側係合部の凸部は、前記カバーの回動方向と交差する方向に延びるとともに、実質的に半円柱形状に形成されている、請求項３〜５のいずれか１項に記載の電子機器。
【発明の詳細な説明】
【技術分野】
【０００１】
本発明は、ディスクプレーヤおよび電子機器に関し、特に、回動可能に取り付けられたカバーを備えたディスクプレーヤおよび電子機器に関する。
【背景技術】
【０００２】
従来、機器本体に回動可能に取り付けられたカバー（ドア）を備えたディスクプレーヤなどの電子機器が知られている（たとえば、特許文献１参照）。この特許文献１には、ドアをロックする構造の一例が開示されている。
【０００３】
図８は、上記特許文献１に開示された従来のドアロック構造を備えた電子機器の操作パネルを示した斜視図である。図９は、図８に示した従来のドアロック構造におけるバネ部材を示した図である。図１０は、図８に示した従来のドアロック構造を備えた電子機器の操作パネルを部分的に示した正面図である。まず、図８〜図１０を参照して、上記特許文献１に開示された従来のドアロック構造を備えた電子機器の操作パネル１１０の構造について説明する。
【０００４】
従来のドアロック構造を備えた電子機器の操作パネル１１０は、図８に示すように、操作パネル１１０の前面に、複数の操作ボタン１２０と、その複数の操作ボタン１２０を覆うとともに、操作パネル１１０に回動可能に取り付けられたドア（カバー）１３０とを備えている。このドア１３０は、ドア１３０の長手方向の一端に溝部１３１を含んでいる。また、操作パネル１１０は、図１０に示すように、ドア１３０の溝部１３１に対応する位置に設けられたバネ装着用凹部１１１と、そのバネ装着用凹部１１１の内部に取り付けられた金属製のバネ部材１４０とを含んでいる。バネ装着用凹部１１１の内部には、２つの押さえ部１１１ａが設けられている。この２つの押さえ部１１１ａは、バネ装着用凹部１１１の内部にバネ部材１４０を固定するために、バネ装着用凹部１１１の内面の上方および側方にそれぞれ設けられている。また、バネ装着用凹部１１１の側面には、切り欠き部１１１ｂが設けられている。また、金属製のバネ部材１４０は、図９に示すように、傾斜部１４１ａを有するクサビ状のカギ部１４１を含んでいる。このバネ部材１４０のカギ部１４１は、図１０に示すように、バネ装着用凹部１１１の切り欠き部１１１ｂから突出するとともに、ドア１３０が閉じられたときに、ドア１３０の溝部１３１に嵌まり込むように構成されている。
【０００５】
【特許文献１】特開２００３−１４３５１０号公報
【発明の開示】
【発明が解決しようとする課題】
【０００６】
しかしながら、図８〜図１０に示した特許文献１に開示されたドアロック構造を備えた電子機器の操作パネル１１０では、ドア（カバー）１３０の操作パネル１１０に対する開閉動作を行うための構造を得るために、別途、バネ部材１４０を設ける必要があるため、その分、部品点数が増加するという問題点がある。
【０００７】
この発明は、上記のような課題を解決するためになされたものであり、この発明の１つの目的は、部品点数を増加させることなく、カバーの開閉動作を行うことが可能なディスクプレーヤおよび電子機器を提供することである。
【課題を解決するための手段および発明の効果】
【０００８】
この発明の第１の局面によるディスクプレーヤは、機器の前面を覆う樹脂製のフロントパネルと、フロントパネルに回動可能に取り付けられ、フロントパネルの所定の位置に設
けられたケーブル挿入用端子を覆うための樹脂製のフロント側端子カバーとを備えたディスクプレーヤにおいて、樹脂製のフロント側端子カバーは、樹脂製のフロント側端子カバーの内面の所定の位置から突出するように樹脂製のフロント側端子カバーに一体的に設けられるとともに、所定の位置に方形状の貫通孔を有するカバー側係合部を含み、樹脂製のフロントパネルは、フロント側端子カバーのカバー側係合部が挿入される挿入孔と、樹脂製のフロントパネルに一体的に設けられ、挿入孔の内面の互いに対向する２つの位置から奥側に向かって延びるとともに、Ｕ字状に折り返して、フロントパネルの前面に向かって延び、かつ、互いに対向する位置に方形状の貫通孔に係合するフロント側端子カバーの回動方向と交差する方向に延びる実質的に半円柱形状の凸部を有する撓み変形可能な一対のパネル側係合部と、一対のパネル側係合部のＵ字状の折返し部分の内側に、パネル側係合部に一体的に形成された補強リブとを含む。また、一対のパネル側係合部の各々の半円柱形状の凸部は、フロント側端子カバーが閉じられたときに、カバー側係合部を挟み込むように方形状の貫通孔に係合する。
【０００９】
この第１の局面によるディスクプレーヤでは、上記のように、貫通孔を有するカバー側係合部を樹脂製のフロント側端子カバーに一体的に設けるとともに、カバー側係合部の貫通孔に係合する凸部を有するパネル側係合部を樹脂製のフロントパネルに一体的に設けることによって、部品点数を増加させることなく、フロント側端子カバーのカバー側係合部とフロントパネルのパネル側係合部との係合および係合の解除を行うことができる。これによって、部品点数を増加させることなく、フロント側端子カバーのフロントパネルに対する開閉動作を行うことができる。また、互いに対向するように所定の間隔を隔てて凸部が配置された一対の撓み変形可能なパネル側係合部をフロントパネルに設けるとともに、カバー側係合部の貫通孔を、一対のパネル側係合部の凸部に対応する位置に設け、かつ、その一対のパネル側係合部の凸部を、フロント側端子カバーが閉じられたときに、カバー側係合部を挟み込むように貫通孔に係合するように構成することによって、カバー側係合部と一対の撓み変形可能なパネル側係合部とを、より確実に係合させることができる。また、フロント側端子カバーのカバー側係合部が挿入される挿入孔をフロントパネルに形成し、パネル側係合部を、挿入孔の内面の互いに対向する２つの位置から奥側に向かって延びるとともに、Ｕ字状に折り返して、フロントパネルの前面に向かって延びるように形成することによって、樹脂製のパネル側係合部に、Ｕ字状の折返し部分を支点とするバネ性を持たせることができるので、パネル側係合部をより容易に撓ませることができる。これによって、カバー側係合部と一対のパネル側係合部との係合および係合の解除が円滑に行われるので、フロント側端子カバーのフロントパネルに対する開閉動作を円滑に行うことができる。また、一対のパネル側係合部のＵ字状の折返し部分の内側にパネル側係合部に一体的に補強リブを形成することによって、パネル側係合部が撓む際のＵ字状の折返し部分にかかる負荷を軽減することができるので、パネル側係合部のＵ字状の折返し部分が劣化するのを抑制することができる。また、製造工程において、パネル側係合部とカバー側係合部との係合の強度を調整する場合に、パネル側係合部の形状を変化させて調整するよりも、補強リブの体積を変化させて調整する方が都合がよいという効果も奏する。また、カバー側係合部の貫通孔を方形状に形成するとともに、一対のパネル側係合部の凸部を、フロント側端子カバーの回動方向と交差する方向に延びる実質的に半円柱形状に形成することによって、パネル側係合部の凸部を半球形状に形成する場合に比べて、カバー側係合部とパネル側係合部との係合する面積が増加するので、カバー側係合部とパネル側係合部とを、より確実に係合させることができる。
【００１０】
この発明の第２の局面による電子機器は、電子機器本体と、電子機器本体に回動可能に設けられたカバーとを備え、カバーは、カバーの内面から突出するようにカバーに一体的に設けられるとともに、所定の位置に凹部を有するカバー側係合部を含み、電子機器本体は、電子機器本体に一体的に設けられ、カバー側係合部の凹部に係合する凸部を有する本体側係合部を含む。
【００１１】
この第２の局面による電子機器では、上記のように、凹部を有するカバー側係合部をカバーに一体的に設けるとともに、カバー側係合部の凹部に係合する凸部を有する本体側係合部を電子機器本体に一体的に設けることによって、部品点数を増加させることなく、カバーのカバー側係合部と電子機器本体の本体側係合部との係合および係合の解除を行うことができる。これによって、部品点数を増加させることなく、カバーの電子機器本体に対する開閉動作を行うことができる。
【００１２】
上記第２の局面による電子機器において、好ましくは、凸部を有する本体側係合部は、互いに対向するように所定の間隔を隔てて凸部が配置された一対の撓み変形可能な本体側係合部を含み、カバー側係合部の凹部は、一対の本体側係合部の凸部に対応する位置に形成されている。また、一対の本体側係合部の凸部は、カバーが閉じられたときに、カバー側係合部を挟み込むように凹部に係合する。このように構成すれば、カバー側係合部と一対の撓み変形可能な本体側係合部とを、より確実に係合させることができる。
【００１３】
上記第２の局面による電子機器において、好ましくは、電子機器本体は、カバーのカバー側係合部が挿入される挿入孔を含み、本体側係合部は、挿入孔の内面の互いに対向する２つの位置から奥側に向かって延びるとともに、Ｕ字状に折り返して、電子機器本体の表面に向かって延びるように形成されている。このように構成すれば、本体側係合部に、Ｕ字状の折返し部分を支点とするバネ性を持たせることができるので、本体側係合部をより容易に撓ませることができる。これによって、カバー側係合部と一対の本体側係合部との係合および係合の解除が円滑に行われるので、カバーの電子機器本体に対する開閉動作を円滑に行うことができる。
【００１４】
上記第２の局面による電子機器において、好ましくは、電子機器本体は、一対の本体側係合部のＵ字状の折返し部分の内側に、本体側係合部に一体的に形成された補強リブを含む。このように構成すれば、本体側係合部が撓む際のＵ字状の折返し部分にかかる負荷を軽減することができるので、本体側係合部のＵ字状の折返し部分が劣化するのを抑制することができる。また、製造工程において、本体側係合部とカバー側係合部との係合の強度を調整する場合に、本体側係合部の形状を変化させて調整するよりも、補強リブの体積を変化させて調整する方が都合がよいという効果も奏する。
【００１５】
上記第２の局面による電子機器において、好ましくは、カバー側係合部の凹部は、方形状の貫通孔を含み、一対の本体側係合部の凸部は、カバーの回動方向と交差する方向に延びるとともに、実質的に半円柱形状に形成されている。このように構成すれば、本体側係合部の凸部を半球形状に形成する場合に比べて、カバー側係合部と本体側係合部との係合する面積が増加するので、カバー側係合部と本体側係合部とを、より確実に係合させることができる。
【発明を実施するための最良の形態】
【００１６】
以下、本発明の実施の形態を図面に基づいて説明する。
【００１７】
図１は、本発明の一実施形態によるディスクプレーヤを示した斜視図である。図２は、図１の矢印Ａ方向から見た状態を部分的に示した拡大図である。図３は、図２中の１００−１００線に沿った断面図である。図４は、図２に示した本発明の一実施形態によるディスクプレーヤにおけるフロント側端子カバーを開いた状態を示した図である。図５は、図４中の２００−２００線に沿った断面図である。図６は、図４に示した本発明の一実施形態によるディスクプレーヤにおけるカバー側係合部およびその挿入孔周辺の状態を示した拡大図である。図７は、本発明の一実施形態によるディスクプレーヤにおけるカバー側係合部およびパネル側係合部の係合前の状態を部分的に示した斜視図である。まず、図１〜
図７を参照して、本発明の一実施形態によるディスクプレーヤ１の構造について説明する。
【００１８】
本発明の一実施形態によるディスクプレーヤ１は、図１に示すように、ディスクプレーヤ１の前面を覆う樹脂製のフロントパネル１０と、フロントパネル１０に設けられた電源ボタン２０と、複数の操作ボタン３０と、ディスク挿入口４０と、樹脂製のフロント側端子カバー５０と、凹部６０とを備えている。なお、ディスクプレーヤ１は、本発明の「電子機器」の一例であり、フロントパネル１０は、本発明の「電子機器本体」の一例であり、フロント側端子カバー５０は、本発明の「カバー」の一例である。フロント側端子カバー５０は、図２および図４に示すように、フロントパネル１０に設けられたケーブル挿入用端子７０を覆うために設けられているとともに、２つの軸８０によってフロントパネル１０に回動可能に取り付けられている。凹部６０は、図１および図６に示すように、フロント側端子カバー５０の側端部に連続するようにフロントパネル１０の側面に設けられている。この凹部６０は、フロント側端子カバー５０の開閉時に、ユーザが指を差し込むことが可能なように設けられている。また、フロントパネル１０は、図４および図６に示すように、フロント側端子カバー５０が当接する２つの突起１４を含んでいる。この２つの突起１４は、フロント側端子カバー５０を閉じた際に、２つの点で支えることにより、フロントパネル１０に対するフロント側端子カバー５０の位置決めをするために設けられている。
【００１９】
ここで、本実施形態では、樹脂製のフロント側端子カバー５０は、図３〜図６に示すように、方形状の貫通孔５１ａを有するカバー側係合部５１を含んでいる。また、樹脂製のフロントパネル１０は、フロント側端子カバー５０のカバー側係合部５１が挿入される挿入孔１１と、撓み変形可能な一対のパネル側係合部１２と、２つの補強リブ１３とを含んでいる。なお、パネル側係合部１２は、本発明の「本体側係合部」の一例である。カバー側係合部５１は、フロント側端子カバー５０の内面の所定の位置から突出するように樹脂製のフロント側端子カバー５０に一体的に設けられている。一対のパネル側係合部１２は、フロントパネル１０の挿入孔１１の内面の互いに対向する２つの位置から奥側に向かって延びるとともに、Ｕ字状に折り返して、フロントパネル１０の前面に向かって延びるに従って互いの間隔が狭くなるように樹脂製のフロントパネル１０に一体的に設けられている。
【００２０】
また、本実施形態では、一対のパネル側係合部１２は、図７に示すように、その先端近傍の互いに対向する位置に凸部１２ａを有している。この一対のパネル側係合部１２の凸部１２ａは、フロント側端子カバー５０の回動方向と直交する方向に延びる実質的に半円柱形状に形成され、かつ、フロント側端子カバー５０が閉じられたときに、カバー側係合部５１を挟み込むように貫通孔５１ａに係合するように構成されている。また、補強リブ１３は、図５および図６に示すように、一対のパネル側係合部１２のＵ字状の折返し部分の内側に、パネル側係合部１２にそれぞれ一体的に形成されている。また、図５および図６に示すように、カバー側係合部５１の根元の所定の位置にも、樹脂製のフロント側端子カバー５０および樹脂製のカバー側係合部５１に一体的に４つの補強リブ５２が設けられている。
【００２１】
次に、図３、図５および図７を参照して、本発明の一実施形態によるディスクプレーヤ１におけるフロント側端子カバー５０のフロントパネル１０に対する開閉動作について説明する。まず、図５に示すように、フロントパネル１０に対してフロント側端子カバー５０が開いた状態において、フロント側端子カバー５０に図５の矢印Ｂの方向の力を加えると、フロント側端子カバー５０は、軸８０を支点にして図５の矢印Ｂの方向に回動する。そして、図７に示した状態を経て、カバー側係合部５１の先端が一対のパネル側係合部１２の凸部１２ａに当接する。さらに、フロント側端子カバー５０に図５の矢印Ｂの方向の
力を加えつづけることにより、一対のパネル側係合部１２が、折返し部分に一体的に形成された補強リブ１３を支点にして互いに遠ざかる方向に撓むとともに、カバー側係合部５１が、挿入孔の奥側へと移動する。これにより、図３に示すように、カバー側係合部５１の貫通孔５１ａと、一対のパネル側係合部１２の２つの凸部１２ａとが係合するので、フロントパネル１０に対してフロント側端子カバー５０が閉じた状態で固定される。
【００２２】
次に、図３に示したフロント側端子カバー５０を閉じた状態から開く際には、ユーザが、フロントパネル１０の側面に設けられた凹部６０に指を差し込むとともに、フロント側端子カバー５０の内面を手前方向（図５の矢印Ｂの逆方向）に引っ張る。これにより、一対のパネル側係合部１２は、折返し部分に一体的に形成された補強リブ１３を支点にして互いに遠ざかる方向に撓むとともに、カバー側係合部５１の貫通孔５１ａと一対のパネル側係合部１２の凸部１２ａとの係合状態が解除される。そして、カバー側係合部５１は、挿入孔１１の入口側へと移動することによって、フロントパネル１０に対してフロント側端子カバー５０が開かれて図５に示す状態となる。
【００２３】
本実施形態では、上記のように、貫通孔５１ａを有するカバー側係合部５１を樹脂製のフロント側端子カバー５０に一体的に設けるとともに、カバー側係合部５１の貫通孔５１ａに係合する凸部１２ａを有するパネル側係合部１２を樹脂製のフロントパネル１０に一体的に設けることによって、部品点数を増加させることなく、フロント側端子カバー５０のカバー側係合部５１とフロントパネル１０のパネル側係合部１２との係合および係合の解除を行うことができる。これによって、部品点数を増加させることなく、フロント側端子カバー５０のフロントパネル１０に対する開閉動作を行うことができる。
【００２４】
また、本実施形態では、一対のパネル側係合部１２の凸部１２ａを、フロント側端子カバー５０が閉じられたときに、カバー側係合部５１を挟み込むように貫通孔５１ａに係合するように構成することによって、カバー側係合部５１と一対の撓み変形可能なパネル側係合部１２とを、より確実に係合させることができる。また、成形上の問題や長期間の使用などにより、軸８０がずれてしまった場合にも、２つの凸部１２ａのうちどちらか１つの凸部１２ａがカバー側係合部５１の貫通孔５１ａに係合するので、フロント側端子カバー５０をフロントパネル１０に固定できなくなるのを防止することができる。
【００２５】
また、本実施形態では、フロント側端子カバー５０のカバー側係合部５１が挿入される挿入孔１１をフロントパネル１０に形成し、パネル側係合部１２を、挿入孔１１の内面の互いに対向する２つの位置から奥側に向かって延びるとともに、Ｕ字状に折り返して、フロントパネル１０の前面に向かって延びるように形成することによって、樹脂製のパネル側係合部１２に、Ｕ字状の折返し部分を支点とするバネ性を持たせることができるので、パネル側係合部１２をより容易に撓ませることができる。これによって、カバー側係合部５１と一対のパネル側係合部１２との係合および係合の解除が円滑に行われるので、フロント側端子カバー５０のフロントパネル１０に対する開閉動作を円滑に行うことができる。
【００２６】
また、本実施形態では、一対のパネル側係合部１２のＵ字状の折返し部分の内側にパネル側係合部１２に一体的に補強リブ１３を形成することによって、パネル側係合部１２が撓む際のＵ字状の折返し部分にかかる負荷を軽減することができるので、パネル側係合部１２のＵ字状の折返し部分が劣化するのを抑制することができる。また、製造工程において、パネル側係合部１２とカバー側係合部５１との係合の強度を調整する場合に、パネル側係合部１２の撓み具合を調整する際に、パネル側係合部１２の形状を変化させて撓み具合を調整するよりも、補強リブ１３のパネル側係合部１２の根元部から先端側に延びる長さを変化させてパネル側係合部１２の撓み具合を調整する方が金型製造工程上容易に行うことができる。この点でも、補強リブ１３を設ける利点がある。
【００２７】
また、本実施形態では、カバー側係合部５１の貫通孔５１ａを方形状に形成するとともに、一対のパネル側係合部１２の凸部１２ａを、フロント側端子カバー５０の回動方向と直交する方向に延びる実質的に半円柱形状に形成することによって、パネル側係合部１２の凸部１２ａを半球形状に形成する場合に比べて、カバー側係合部５１とパネル側係合部１２との係合する面積が増加するので、カバー側係合部５１とパネル側係合部１２とを、より確実に係合させることができる。
【００２８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００２９】
たとえば、上記実施形態では、本発明を電子機器の一例としてのディスクプレーヤについて適用した例を示したが、本発明はこれに限らず、ディスクプレーヤ以外のテレビやビデオなどの電子機器、あるいは、テレビやビデオなどの電子機器本体を遠隔操作するためのリモートコントローラなどの電子機器にも適用可能である。
【００３０】
また、上記実施形態では、図５に示すように、フロントパネル１０の一対のパネル側係合部１２とフロント側端子カバー５０のカバー側係合部５１とのより強い係合力を得るために、一対のパネル側係合部１２を、Ｕ字状に折り返した後、フロントパネル１０の前面に向かって延びるに従って互いの間隔が狭くなるように設けたが、本発明はこれに限らず、一対のパネル側係合部１２を、互いの間隔が常に一定になるようにフロントパネル１０の前面に向かって延びるように設けてもよく、その場合にも、上記した実施形態と同様の効果を得ることができる。
【図面の簡単な説明】
【００３１】
【図１】本発明の一実施形態によるディスクプレーヤを示した斜視図である。
【図２】図１の矢印Ａ方向から見た状態を部分的に示した拡大図である。
【図３】図２中の１００−１００線に沿った断面図である。
【図４】図２に示した本発明の一実施形態によるディスクプレーヤにおけるフロント側端子カバーを開いた状態を示した図である。
【図５】図４中の２００−２００線に沿った断面図である。
【図６】図４に示した本発明の一実施形態によるディスクプレーヤにおけるカバー側係合部およびその挿入孔周辺の状態を示した拡大図である。
【図７】本発明の一実施形態によるディスクプレーヤにおけるカバー側係合部およびパネル側係合部の係合前の状態を部分的に示した斜視図である。
【図８】従来のドアロック構造を備えた電子機器の操作パネルを示した斜視図である。
【図９】図８に示した従来のドアロック構造におけるバネを示した図である。
【図１０】図８に示した従来のドアロック構造を備えた電子機器の操作パネルを部分的に示した正面図である。
【符号の説明】
【００３２】
１  ディスクプレーヤ（電子機器）
１０  フロントパネル（電子機器本体）
１１  挿入孔
１２  パネル側係合部（本体側係合部）
１２ａ  凸部
１３  補強リブ
５０  フロント側端子カバー（カバー）
５１  カバー側係合部
５１ａ  貫通孔
７０  ケーブル挿入用端子
【図１】
2005159135.tif 000003
【図２】
2005159135.tif 000004
【図３】
2005159135.tif 000005
【図４】
2005159135.tif 000006
【図５】
2005159135.tif 000007
【図６】
2005159135.tif 000008
【図７】
2005159135.tif 000009
【図８】
2005159135.tif 000010
【図９】
2005159135.tif 000011
【図１０】
2005159135.tif 000012